(57)【要約】【課題】  粉粒体と液体との均一混合を可能とし、品質のバラツキを効果的に抑えることを可能とした、改善された新しい混合装置を提供する。【解決手段】  粉粒体と液体とを混合する装置であって、粉粒体を充填するコンテナ１とコンテナを回動させる回動機構部とを有し、コンテナ１の回動によりその内部で流動している粉粒体に対して液体を添加する液体添加機構部としての液体タンク３等が具備されている装置とする。【選択図】図１
2006122761.tif 000002
【特許請求の範囲】
【請求項１】
粉粒体と液体とを混合する装置であって、粉粒体を充填するコンテナとこのコンテナを回動させる回動機構部とを有し、コンテナの回動によりその内部で流動している粉粒体に対して液体を添加する液体添加機構部が具備されていることを特徴とする混合装置。
【請求項２】
回動機構部は、駆動源部とともに、コンテナを支持装着し、コンテナとともに回動可能とされているコンテナ固定枠を有していることを特徴とする請求項１の混合装置。
【請求項３】
液体の添加機構部には、液体の流量調整機構部が設けられていることを特徴とする請求項１または２の混合装置。
【請求項４】
液体の添加機構部には、液体の噴霧機構部が設けられていることを特徴とする請求項１から３のいずれかの混合装置。
【請求項５】
液体の添加機構部は、コンテナに対して着脱自在に、かつコンテナとともに回動可能とされた／または２以上の液体タンクと、液体タンクとコンテナとを連結してコンテナ内への液体の添加を可能とする連結部を有していることを特徴とする請求項１から４のいずれかの混合装置。
【請求項６】
液体タンクは、コンテナを支持装着し、コンテナとともに回動可能とされているコンテナ固定枠に取付け固定されていることを特徴とする請求項５の混合装置。
【請求項７】
請求項５または６の混合装置において、液体タンクおよび連結部の少くともいずれかに液体の流量調整弁が設けられていることを特徴とする混合装置。
【請求項８】
請求項５から７のいずれかの混合装置において、液体タンクは、ロータリージョイントにより連結されたエアー流路からのエアーによりその内部がエアー加圧されていることを特徴とする混合装置。
【請求項９】
エアー加圧の圧力を調整する減圧弁がエアー流路に設けられていることを特徴とする請求項８の混合装置。
【発明の詳細な説明】
【技術分野】
【０００１】
本願発明は、粉粒体と液体との混合装置に関するものである。
【背景技術】
【０００２】
従来より、各種の産業分野において、種類や粒径等の異なる粉末、あるいは粉状体等の粉粒体、もしくは各種の粉粒体と液体とを混合するための装置として様々な方式のものが提案され、実用化されてきている。また、これらの改良も行われてきている。
【０００３】
このような従来の混合装置の一つとして、たとえば、混合処理した粉粒体をそのまま移送し、貯留することができ、しかも混合性能を向上させることを目的に、粉粒体を充填する容器を枠体の装着によって支持し、この枠体ごと容器を回動させ、混合処理後には容器をそのまま移送、貯留できるようにした混合装置が提案されている（特許文献１）。
【０００４】
しかしながら、このような特徴のある混合装置であっても、従来の混合装置においては成形用プラスチック材料や各種の薬剤、食品等の粉粒体と各種処理剤や添加剤等の液体とを均一に混合することは容易ではなかった。従来はいずれの場合でも、粉粒体を混合用容器に充填中に、あるいは充填した後に液体を添加し、その後に振動や回動を行っていたが、どうしても液体の混合は不均一となり、品質のバラツキを抑えることが難しいという問題があった。
【特許文献１】実開平７−７７３３号公報
【発明の開示】
【発明が解決しようとする課題】
【０００５】
そこで、本願発明は、以上のような背景から、従来の問題点を解消し、粉粒体と液体との均一混合を可能とし、品質のバラツキを効果的に抑えることを可能とした、改善された新しい混合装置を提供することを課題としている。
【課題を解決するための手段】
【０００６】
本願発明の混合装置は、上記の課題を解決するものとして以下のことを特徴としている。
【０００７】
第１：粉粒体と液体とを混合する装置であって、粉粒体を充填するコンテナとこのコンテナを回動させる回動機構部とを有し、コンテナの回動によりその内部で流動している粉粒体に対して液体を添加する液体添加機構部が具備されている。
【０００８】
第２：回動機構部は、駆動源部とともに、コンテナを支持装着し、コンテナとともに回動可能とされているコンテナ固定枠を有している。
【０００９】
第３：液体の添加機構部には、液体の流量調整機構部が設けられている。
【００１０】
第４：液体の添加機構部には、液体の噴霧機構部が設けられている。
【００１１】
第５：液体の添加機構部は、コンテナに対して着脱自在に、かつコンテナとともに回動可能とされた／または２以上の液体タンクと、液体タンクとコンテナとを連結してコンテナ内への液体の添加を可能とする連結部を有している。
【００１２】
第６：液体タンクは、コンテナを支持装着し、コンテナとともに回動可能とされているコンテナ固定枠に取付け固定されている。
【００１３】
第７：上記第５または第６の発明の混合装置において、液体タンクおよび連結部の少くともいずれかに液体の流量調整弁が設けられている。
【００１４】
第８：液体タンクは、ロータリージョイントにより連結されたエアー流路からのエアーによりその内部がエアー加圧されている。
【００１５】
第９：エアー加圧の圧力を調整する減圧弁がエアー流路に設けられている。
【発明の効果】
【００１６】
上記のとおりの本願第１の発明においては、従来のように粉粒体の充填中あるいは充填後に液体を添加し、その後振動や回動を行う方式ではなく、粉粒体を充填しているコンテナを回動させて粉粒体を流動攪拌させている過程において液体添加の機構部より液体を添加するようにしていることから、粉粒体と液体との均一混合性が高まることになる。
【００１７】
第２の発明においては、コンテナを支持装着し、コンテナとともに回動可能としているコンテナ固定枠を有する装置であることから、液体添加をともなう攪拌混合処理後には、コンテナをそのまま移送し、貯留することも可能になる。
【００１８】
第３および第４の発明によれば液体の添加はより効率的に均一な混合を可能とする。
【００１９】
液体タンクを用いる第５の発明によれば、カートリッジ方式での液体添加タンクの着脱が可能になるとともに、複数種の液体の添加も可能とされ、混合効率、作業性はさらに向上する。
【００２０】
第６の発明では、第５の発明での効果とともに、液体タンクの安定取付けと、その着脱が容易となる。
【００２１】
第７から第９の発明によれば液体タンクを用いる装置において、より効率的で適切な液体添加による均一混合が可能になる。
【発明を実施するための最良の形態】
【００２２】
本願発明は以上のとおりの特徴を有するものであるが、以下にその実施の形態について説明する。
【００２３】
添付した図面の図１は、本願発明の混合装置の一実施形態を例示した正面（Ａ）および側面（Ｂ）の要部概要図である。
【００２４】
粉粒体を充填するコンテナとこのコンテナを回動させる回動機構部とを有し、コンテナの回動によりその内部で流動している粉粒体に対して流体を添加する液体添加機構部が具備されている本願発明の混合装置としては、たとえばこの図１のように粉粒体を充填するコンテナ１と支持装着し、コンテナ１とともに回動可能とされているコンテナ固定枠２を有しているものが示される。そしてこの例においては、液体の添加機構部として、コンテナ１に対して着脱自在に、かつ、コンテナ固定枠２に着脱自在に取付け固定されてコンテナ１およびコンテナ固定枠２とともに回動される液体タンク３を具備し、この液体タンク３とコンテナ１とを連結してコンテナ１内への液体の添加を可能とする連結部４を有している。
【００２５】
コンテナ１については、図１に例示したようにその外形は角形をはじめ各種であってよく、粉粒体材料の投入口１１、液体添加して混合した後のこれら材料の取出し口１２をたとえば上部、下部の各々に有している。これらの位置や形状についても適宜であってよい。コンテナ１は、液体添加による混合処理後にはコンテナ固定枠２から取除し、そのまま移送したり、貯留するようにしてもよい。この点もこの例の場合の装置の特徴の一つである。
【００２６】
図２は、この例の混合装置の全体構成の外観を例示した図であり、図１の状態から１８０°回動した位置として例示している。コンテナ１は、コンテナ固定枠２ごとモーター等の駆動源や伝動機構を備えた回動機構部５により回動されるようになっている。この回動は、たとえば偏芯して行われることも有効であり、回動の一部として揺動や振動等が加えられていてもよい。そして、たとえばコンテナ１内に液体を添加する液体タンク３並びにそのコンテナ１との連結部４の少くともいずれかには添加する液体の流量調整機構としての流量調整弁が備えられている。ニードルバルブ等の流量調整弁は、回動するコンテナ１内で流動状態にある粉粒体に対し、液体の添加量を調整しつつ添加可能とするものであって、効率的で均一な混合のために有効である。
【００２７】
噴霧等による液体添加量を精度よく安定させる。また、たとえば液体を噴霧して添加できるように噴霧ノズル等の機構が設けられている。
【００２８】
この噴霧により効率的な均一混合が促されることになる。
【００２９】
さらに、図２にも例示した混合装置においては、液体タンク３内をエアー加圧するために、ポンプ等のエアー加圧機構部６により加圧されたエアーを液体タンク３に導くためのロータリージョイントにより連結されたエアー流路７を持つものとすることができる。このエアー流路７、あるいは液体タンク３には、エアー加圧の変動による液体流量をコントロールするための減圧弁を有していてもよい。
【００３０】
このようなエアー加圧によって、液体の添加はより適切に制御可能とされ、より効率的で均一な粉粒体と液体との混合が実現される。
【００３１】
もちろん本願発明は以上の例示説明に限定されることはなく、その細部において様々な形態が可能であることは言うまでもない。
【図面の簡単な説明】
【００３２】
【図１】本願発明の混合装置の一実施形態を示した要部概要正面図（Ａ）と概要側面図（Ｂ）である。
【図２】図１に対応する混合装置の全体外観を例示した概要斜視図である。
【符号の説明】
【００３３】
１  コンテナ
１１  材料投入口
１２  材料取出し口
２  コンテナ固定枠
３  液体タンク
４  連結部
５  回動機構部
６  エアー加圧機構部
７  エアー流路
【図１】
2006122761.tif 000003
【図２】
2006122761.tif 000004